【事件の表示】
　特許第２８４９４４９号「弾球遊技機」の請求項１に係る特許に対する特許異議の申立てについて、次のとおり決定する。
【結　論】
　訂正を認める。
　特許第２８４９４４９号の請求項１に係る特許を維持する。
【理　由】
【１】手続きの経緯
　特許２８４９４４９号の請求項１に係る発明（以下「本件発明」という。）は、平成２年６月５日に特許出願され、平成１０年１１月６日に特許の設定登録がなされた。
　これに対して、「弓桁忠」より特許異議の申立てがなされ、取消理由通知がなされ、その指定期間内である平成１２年２月１５日に訂正請求がなされた。
　
【２】訂正の内容
（１）特許請求の範囲の訂正
　請求項１を下記のとおり訂正。
　「内部に特定入賞口を有する可変入賞球装置を備えた弾球遊技機において、
　前記可変入賞球装置には、遊技者に視認できる位置に配置され且つ特定遊技状態時に可変入賞球装置に入賞した入賞玉を貯留可能な状態と不可能な状態とに変化する貯留部材を設け、
　該貯留部材による所定期間に亘る継続的な貯留可能状態の開始前に、貯留部材を貯留可能な状態と貯留不可能な状態とに所定回数駆動するようにしたことを特徴とする弾球遊技機。」
（２）発明の詳細な説明の訂正
（２−１）特許明細書第２頁第１２〜２７行（公報第３欄第２１〜４２行）を下記のとおり訂正。
　「【課題を解決するための手段】
　上記した目的を達成するために、この発明に係る弾球遊技機は、
　内部に特定入賞口を有する可変入賞球装置を備えたものにおいて、
　前記可変入賞球装置には、遊技者に視認できる位置に配置され且つ特定遊技状態時に可変入賞球装置に入賞した入賞玉を貯留可能な状態と不可能な状態とに変化する貯留部材を設け、
　該貯留部材による所定期間に亘る継続的な貯留可能状態の開始前に、貯留部材を貯留可能な状態と貯留不可能な状態とに所定回数駆動するようにしたことを特徴とするものである。
　　【作用】
　特定遊技状態となって、可変入賞球装置に受入れられた入賞玉が貯留部材に所定期間に亘って継続的に貯留される前に、貯留部材が貯留可能な状態と貯留不可能な状態とに所定回数駆動される。そして、貯留部材が遊技者から視認できる位置に配置されているので、可変入賞球装置における入賞玉の貯留場所が遊技者に容易に理解されると共に、貯留部材の動作が貯留可能な状態と貯留不可能な状態とに変化するので、貯留部材の態様と貯留可能性との関係、及び貯留部材による入賞玉の貯留状態が容易に予測できる。」
（２−２）特許明細書第１６頁末行〜第１７頁第７行（公報第１４欄第４１行〜第１５欄第１行）を下記のとおり訂正。
　「【発明の効果】
　以上、説明したところから明らかなように、この発明に係る弾球遊技機においては、貯留部材に所定期間に亘って継続的に貯留される前に、遊技者に視認できる位置に配置された貯留部材が貯留可能な状態と貯留不可能な状態とに所定回数駆動されるように構成されているので、可変入賞球装置における入賞玉の貯留場所が遊技者に容易に理解されると共に、貯留部材の動作が貯留可能な状態と貯留不可能な状態とに変化するので、貯留部材の態様と貯留可能性との関係、及び貯留部材による入賞玉の貯留状態が容易に予測できる。」
　
【３】訂正の適否についての判断
（１）特許請求の範囲の訂正
　上記訂正は、訂正前の請求項１の「貯留部材による貯留開始前」という記載を「貯留部材による所定期間に亘る継続的な貯留可能状態の開始前」に限定するなど、明細書に記載されていた実施例に即して下位概念に限定したものであり、特許請求の範囲の減縮に該当し、新規事項の追加に該当せず、実質的に特許請求の範囲を拡張又は変更するものでもない。
（２）発明の詳細な説明の訂正
　上記訂正は、前記特許請求の範囲の減縮に伴って、減縮された特許請求の範囲の記載と発明の詳細な説明の記載とを整合させるための不明瞭な記載の釈明を目的とするものと認められる。
（３）独立特許要件
（３−１）当審が通知した上記取消理由通知で引用した刊行物（特開平２−６０６７５号公報）には、下記の事項が図面とともに記載されている。
　「大入賞口２３の下方部分の前面には前飾板４９を設けると共に、前枠２２の底板５０から仕切板５１を起立させて特別の利益状態を創成可能な特別入賞口５２と普通入賞となる一般入賞口５３とを形成し、特別入賞口５２には継続スイッチ５４を臨ませる。」（第３頁右下欄第１〜５行）、
　「上傾斜板４５の下方には球落下口４６から落下した球を特別入賞口５２及び一般入賞口５３へ誘導可能なように特別入賞口５２及び一般入賞口５３へ向って緩く下り傾斜を有する誘導板５８を設ける。この誘導板５８は傾斜方向に対して直交する方向に分割可能とし、少なくとも片半部分が可動できるようにして、可動側を可動体５９とする。図示の実施例によれば、傾斜下流側の片半部分が昇降可能な可動体５９となっており、傾斜上流側の他半部分を固定状の固定体６０としてあるが、傾斜下流側を固定して上流側を昇降可能な可動体５９してもよいし、双方を可動させてもよい。いずれにしても少なくとも一方を上昇又は下降させると他半部分の誘導板５８に対して相対的な段差が生じ、この段差により球落下口４６から落下して誘導板５８上を転動する球を貯留することができる。」（第４頁左上欄第２〜１７行）、
　「尚、図示の実施例では、支持壁部６２の上方に屋根７３を設けて、可動体５９と支持壁部６２とガイド棒６３等で駕篭７４を模してあり・・・可動体５９が昇降すると、あたかも人形が駕篭７４を担いでいるように動く。」（第４頁右上欄第１５〜２０行）。
　そして、第１６図には、大入賞口（球受部材）が開放して、球が特別入賞口へ入球して継続スイッチがオンすることにより特別遊技に移行し、特別遊技が開始すると大入賞口が３秒間閉止されるが、この期間に可動体が３回昇降し、大入賞口の３秒間閉止後は、大入賞口は新たに１８回の開閉動作を開始し、２６秒間又はおおむね１０個の球が流入する迄開閉するとともに、可動体は、大入賞口が１４回開閉するまで又は入賞球が６個に達するまで昇降を繰り返し、その後、下位置すなわち球を貯留させずに各入賞口にそのまま流下させる位置で停止する旨のタイムチャートが記載されている。
（３−２）対比・判断
　訂正後の本件発明と上記刊行物記載のものとを対比すると、刊行物記載のものには、少なくとも本件発明の「貯留部材」が「貯留可能な状態と貯留不可能な状態とに所定回数駆動」した後「所定期間に亘る継続的な貯留可能状態」となる点について何等記載されておらず、示唆もない。
　すなわち、上記のとおり、刊行物記載のものの「可動体５９」（本件発明の「貯留部材」に相当。）は「貯留可能な状態と貯留不可能な状態とに所定回数駆動」した後は、玉を貯留せずにそのまま各入賞口に流下させるものである。
　そして、本件発明は、上記構成と他の構成とが相俟って、「（大当り中の）開閉サイクルの継続の可能性が高められる」（明細書第１２頁第１１〜１２行（公報第１１欄第１３〜１４行））等の作用効果を奏するものである。
　したがって、本件発明は、刊行物に記載された発明に基いて当業者が容易に発明をすることができたものとは、いえない。
（４）むすび
　以上のとおりであるから、上記訂正は、特許法第１２０条の４第２，３項で準用する第１２６条第２〜４項の規定に適合するので、当該訂正を認める。
　
【４】特許異議申立てについての判断
（１）本件発明
　本件請求項１に係る発明は、上記訂正明細書の請求項１に記載された事項により特定されるとおりのものである。
（２）異議申立ての理由の概要
　申立人は、証拠として甲第１号証（上記取消理由通知で引用した「刊行物」である。）を提出し、訂正前の請求項１に係る発明は、甲第１号証に記載された発明に基いて当業者が容易に発明をすることができたものであり、特許法第２９条第２項の規定により、特許を受けることができないのものであるから、請求項１に係る発明の特許を取り消すべき旨主張している。
（３）判断
  本件発明は、上記【３】（３）で示したように甲第１号証に記載された発明から当業者が容易に発明をすることができたものとは、いえない。
（４）むすび
　以上のとおりであるから、特許異議申立ての理由及び証拠によっては、本件発明についての特許を取り消すことはできない。
　また、他に本件発明についての特許を取消すべき理由を発見しない。
　よって、結論のとおり決定する。
【異議決定日】
平成１３年２月１日（２００１．２．１）
【訂正の要旨】
（１）特許請求の範囲の訂正
　請求項１を下記のとおり訂正。
　「内部に特定入賞口を有する可変入賞球装置を備えた弾球遊技機において、
　前記可変入賞球装置には、遊技者に視認できる位置に配置され且つ特定遊技状態時に可変入賞球装置に入賞した入賞玉を貯留可能な状態と不可能な状態とに変化する貯留部材を設け、
　該貯留部材による所定期間に亘る継続的な貯留可能状態の開始前に、貯留部材を貯留可能な状態と貯留不可能な状態とに所定回数駆動するようにしたことを特徴とする弾球遊技機。」
（２）発明の詳細な説明の訂正
（２−１）特許明細書第２頁第１２〜２７行（公報第３欄第２１〜４２行）を下記のとおり訂正。
　「【課題を解決するための手段】
　上記した目的を達成するために、この発明に係る弾球遊技機は、
　内部に特定入賞口を有する可変入賞球装置を備えたものにおいて、
　前記可変入賞球装置には、遊技者に視認できる位置に配置され且つ特定遊技状態時に可変入賞球装置に入賞した入賞玉を貯留可能な状態と不可能な状態とに変化する貯留部材を設け、
　該貯留部材による所定期間に亘る継続的な貯留可能状態の開始前に、貯留部材を貯留可能な状態と貯留不可能な状態とに所定回数駆動するようにしたことを特徴とするものである。
　　【作用】
　特定遊技状態となって、可変入賞球装置に受入れられた入賞玉が貯留部材に所定期間に亘って継続的に貯留される前に、貯留部材が貯留可能な状態と貯留不可能な状態とに所定回数駆動される。そして、貯留部材が遊技者から視認できる位置に配置されているので、可変入賞球装置における入賞玉の貯留場所が遊技者に容易に理解されると共に、貯留部材の動作が貯留可能な状態と貯留不可能な状態とに変化するので、貯留部材の態様と貯留可能性との関係、及び貯留部材による入賞玉の貯留状態が容易に予測できる。」
（２−２）特許明細書第１６頁末行〜第１７頁第７行（公報第１４欄第４１行〜第１５欄第１行）を下記のとおり訂正。
　「【発明の効果】
　以上、説明したところがら明らかなように、この発明に係る弾球遊技機においては、貯留部材に所定期間に亘って継続的に貯留される前に、遊技者に視認できる位置に配置された貯留部材が貯留可能な状態と貯留不可能な状態とに所定回数駆動されるように構成されているので、可変入賞球装置における入賞玉の貯留場所が遊技者に容易に理解されると共に、貯留部材の動作が貯留可能な状態と貯留不可能な状態とに変化するので、貯留部材の態様と貯留可能性との関係、及び貯留部材による入賞玉の貯留状態が容易に予測できる。」
（５４）【発明の名称】
弾球遊技機
（５７）【特許請求の範囲】
　内部に特定入賞口を有する可変入賞球装置を備えた弾球遊技機において、
　前記可変入賞球装置には、遊技者に視認できる位置に配置され且
つ特
　該貯留部材による
所定期間に亘る継続的な貯留可能状態の
【発明の詳細な説明】
　　【産業上の利用分野】
　この発明は、内部に特定入賞口を有する可変入賞球装置を備えた弾球遊技機、例えば、遊技盤上に設けられる予め定めた入賞口への打玉の入賞に基づいて可変入賞球装置を打玉が入賞し難い又は入賞しない第２の状態から打玉が入賞し易い第１の状態に変化させ、その第１の状態中に受入れられた入賞玉が可変入賞球装置内に設けられる特定入賞口に入賞したときに特定遊技状態となるように構成された弾球遊技機に関するものである。
　　【従来の技術】
　従来、遊技盤上に設けられた予め定めた入賞口（始動入賞口と俗称される）への打玉の入賞に基づいて可変入賞球装置の可動玉受部材が１回又は２回開閉動作し、その１回又は２回の開閉動作中に可動玉受部材によって受入れられた入賞玉が可変入賞球装置内に設けられる特定入賞口に入賞したときに、特定遊技状態（大当り状態ともいう）となって可変入賞球装置の可動玉受部材を所定の態様、具体的には、１８回の開閉動作又はその１８回の開閉動作中に受入れられた入賞玉が１０個となるまで（以下、開閉サイクルという）開閉動作を行い、その開閉サイクル中に可動玉受部材に受入れられた入賞玉が再度特定入賞口に入賞したときには、その開閉サイクルを直ちに停止して次の開閉サイクルに移行し、そのような開閉サイクルの繰り返しを所定回数（例えば、８回）行うように構成された弾球遊技機が提供されていた。このような弾球遊技機の中には、可変入賞球装置内に受入れられた入賞玉を貯留する貯留部材を設け、その貯留部材を大当り状態時に作動させて上記した１回の開閉サイクルにおいて、なるべく多数の入賞玉を発生させたり、あるいは開閉サイクルの継続が行われ易いようにしたものもあった。
　　【発明が解決しようとする課題】
　しかして、上記した貯留部材を備えたものにあっては、可変入賞球装置内のどの場所にどのような態様で貯留されるのか等が分かりずらいという問題があった。この発明は、上記した問題点に鑑みなされたもので、その目的とするところは、可変入賞球装置内に設けられる貯留部材の貯留場所や態様が分かり易い弾球遊技機を提供することにある。
　　【課題を解決するための手段】
　上記した目的を達成するために、この発明に係る弾球遊技機は、
　内部に特定入賞口を有する可変入賞球装置を備えたものにおいて、
　前記可変入賞球装置には、遊技者に視認できる位置に配置され且
つ特
　該貯留部材による
所定期間に亘る継続的な貯留可能状態の
　　【作用】
　特定遊技状態となって、可変入賞球装置に受入れられた入賞玉が貯留部材に
所定期間に亘って継続的に
　　【実施例】
　以下、図面を参照して、この発明の実施例について説明する。
　まず、第６図に基づいて、実施例に係る弾球遊技機の全体の構成について説明する。第６図は、弾球遊技機の一例としてのパチンコ遊技機の正面図である。図において、パチンコ遊技機１の額縁状に形成された前面枠２の開口には、扉保持枠３が周設され、該扉保持枠３の一側にガラス板４ａ，４ｂ（第３Ａ図参照）を収納するガラス扉枠４及び前面扉板５が開閉自在に枢着される。前記前面枠２の裏面には、遊技盤１０及び図示しない発射レール等を取り付ける遊技盤保持枠（図示しない）が固着される。前記前面扉板５には、打球供給皿６が取り付けられている。打球供給皿６は、パチンコ遊技機１裏面に設けられる周知の景品玉払出装置から払出された景品玉を貯留し、且つ貯留されたパチンコ玉を１個宛発射レールに誘導するように構成されている。また、打球供給皿６の上流側下方の空間内に音声発生装置としてのスピーカ７が収納されている。このスピーカ７は、後述する特定遊技状態（以下、大当り状態という）になったときや、後述する始動入賞口１３、１４ａ，１４ｂや特定入賞口５８等に打玉が入賞したときに、遊技の雰囲気を盛り上げるための効果音を発生するためのものである。
　前記前面枠２の下部には、パチンコ玉を遊技盤１０の遊技領域１２に打ち出す操作ハンドル８と、前記打球供給皿６に貯留しきれない余剰の景品玉を貯溜する余剰玉受皿９とが取り付けられている。
　前記遊技盤１０の表面には、第１図に示すように打玉を遊技領域１２に導く誘導レール１１や、多数の障害釘、各種の入賞球装置等が設けられている。より詳しく説明すると、遊技盤１０の遊技領域１２には、通常の入賞口３５，１７ａ，１７ｂ、複数の機能の異なる始動入賞口１３、１４ａ，１４ｂ、チューリップ式入賞口１９ａ，１９ｂ、ランプ付風車２３ａ，２３ｂ、風車（符号なし）、一対の可動玉受部材３２ａ，３２ｂを有する可変入賞球装置３０、遊技効果ランプ２１ａ，２１ｂ、及びアウト口２０等がそれぞれ配設される。
　前記遊技領域１２に打ち込まれた打玉が前記入賞口３５，１７ａ，１７ｂ、及びチューリップ式入賞口１９ａ，１９ｂに入賞すると、景品玉払出装置により所定個数（例えば１３個）の景品玉が払出されるようになっている。これら入賞口のうち入賞口３５は、可変入賞球装置３０に設けられており、入賞口１７ａ，１７ｂには、停止入賞玉検出器１８ａ，１８ｂが付設されている。この停止入賞玉検出器１８ａ，１８ｂがＯＮしたときには、始動入賞時に後述する誘導部材６１が入賞玉を特定入賞口５８に誘導し易い位置（以下、第１の態様という）となるようにモータ６６を駆動停止するものである。また、前記始動入賞口１３、１４ａ，１４ｂに打玉が入賞すると、同様に景品玉払出装置から所定個数の景品玉が払出されるとともに、始動入賞口１３、１４ａ，１４ｂに関連して設けられた後述する始動入賞玉検出器１５、１６ａ，１６ｂの検出出力に応答して前記可変入賞球装置３０の可動玉受部材３２ａ，３２ｂを相対的に短い時間間隔で開閉動作させるようになっている。
　すなわち、中央の始動入賞口１３に打玉が入賞することによって、可動玉受部材３２ａ，３２ｂが２回開閉動作を行い、左右の始動入賞口１４ａ，１４ｂに打玉が入賞することによって、可動玉受部材３２ａ，３２ｂが１回開閉動作を行う。そして、この開閉動作中に可動玉受部材３２ａ，３２ｂによって導かれた入賞玉が可変入賞球装置３０内に設けられた後述する特定入賞口５８に入賞したときには、いわゆる大当り状態となり、以下の大当り処理を行う。すなわち、可動玉受部材３２ａ，３２ｂの相対的に短い時間間隔の開閉動作を１８回行うか、あるいは１８回の開閉動作中に可変入賞球装置３０内に受入れられた入賞玉が１０個検出されるまで開閉動作を行い（以下、開閉サイクルという）、更に、１８回の開閉動作中に可変入賞球装置３０の下部に形成された複数の入賞口のうち再度特定入賞口５８に入賞すると、上記した開閉サイクルを繰返すことができるようになっている。ただし、特定入賞口５８に入賞玉が入賞する毎に、開閉サイクルを直ちに停止させ、次の開閉サイクルに移行する。また、この開閉サイクルの繰り返しは、入賞玉が特定入賞口５８に入賞することを条件として、最高８回に限定されている。また、本実施例においては、前記誘導部材６１が第１の態様となっている状態で、打玉が始動入賞口１３、１４ａ，１４ｂに入賞したこと、又は大当り状態となったことに基づいて誘導部材６１が入賞玉を特定入賞口５８へ誘導し難い状態（以下、第２の態様という）となる。
　また、大当り状態になると、前記遊技効果ランプ２１ａ，２１ｂや前記前面枠２の上部に設けられた遊技効果ランプ２２ａ〜２２ｃ（枠ランプともいう）や前記ランプ付き風車２３ａ，２３ｂ内に内蔵される遊技効果ランプ等が点滅してその旨を遊技者に報知するようになっている。なお、可変入賞球装置３０については、後に詳細に説明する。
　上記に説明した各種の入賞口に入らなかった打玉は、誘導レール１１の最下部に設けられたアウト口２０に取り込まれる。
　ところで、上記した遊技盤１０の遊技領域１２は、遊技領域１２のほぼ中央に好適に配置された可変入賞球装置３０を境界として左右の遊技領域１２ａ，１２ｂとに分かれる。そして、通常の遊技において、遊技客は、発射された打玉の大部分が左遊技領域１２ａを落下するように操作ハンドル８を操作する。このため、通常の遊技をしている場合には、一旦左遊技領域１２ａ側に落下し始めた打玉は、可変入賞球装置３０が障害となって右遊技領域１２ｂに移動することがない。しかし、この実施例においては、後に詳述するように、可変入賞球装置３０の上部に左遊技領域１２ａと右遊技領域１２ｂとが連通する連通部３６が形成されているので、左遊技領域１２ａ側を落下し始めた打玉であっても右遊技領域１２ｂに移動することが可能となる場合がある。
　次に、本実施例の要部を構成する貯留部材を内蔵する可変入賞球装置３０の詳細な構成について第２Ａ図ないし第３Ｂ図を参照して説明する。
　まず、可変入賞球装置３０は、前記遊技盤１０に取り付けられる取付基板３１を有し、その取付基板３１の中央には、前面開口が縦長な長方形状であって後方に向って凹状に形成された入賞領域３３が設けられている。入賞領域３３は、本実施例の要部を構成する貯留部材としての停止板４６ａ，４６ｂが配置される上部入賞領域３３ａと、前記した誘導部材６１が配置される下部入賞領域３３ｂとに区画されている。上部入賞領域３３ａは、横巾及び後方への突出量が小さい空間として構成されるが、下部入賞領域３３ｂは、上部入賞領域３３ａよりも横巾及び後方への突出量が大きな空間として構成されると共に、下部入賞領域３３ｂの下部後方に前記した特定入賞口５８を含む複数の入賞口５８、５９ａ，５９ｂが形成されている。
　また、入賞領域３３の上部に障害部材３４が突設されている。入賞領域３３は、上記したように取付基板３１の後方に向って凹状に形成されるものであるが、その入賞領域３３への打玉の入賞は、入賞領域３３を構成する前面開口の上部寄りの左右に設けられた可動玉受部材３２ａ，３２ｂが開放することだけによって可能となっている。つまり、可動玉受部材３２ａ，３２ｂは、第３Ａ図に示すように、リンク部材を介して可変入賞球装置３０の後方に取り付けられる可動玉受部材ソレノイド７２（ソレノイドＡと表示する場合もある）によって開閉自在に駆動され、ソレノイドＡが励磁したときに開成して打玉を入賞領域３３に導き入れるようにし、ソレノイドＡが非励磁のときに閉成して打玉を入賞領域３３に誘導しないようになっている。なお、入賞領域３３は、上記した障害部材３４と可動玉受部材３２ａ，３２ｂ及び後述する側部障害部材５２ａ，５２ｂと可動片５３ａ，５３ｂによって遊技領域１２と区画されるようになっている。
　また、上記した障害部材３４は、第２Ａ図に示すように、上部障害部材３４ａと下部障害部材３４ｂとに分割され、その上部障害部材３４ａと下部障害部材３４ｂとの間に打玉が横方向に通過可能な連通部３６が形成されている。上部障害部材３４ａの上面は、飛入した打玉を受け止めるように皿状に突出形成され、受け止めた打玉を取付基板３１に開設した入賞口３５に誘導するようになっている。また、下部障害部材３４ｂの上面は、左右が傾斜面３７となるべく中央が高くなった山形状に突出形成されている。このため、横方向に飛入した打玉であって連通部３６に侵入した打玉は、その勢いがある場合には、連通部３６を通過して左遊技領域１２ａから右遊技領域１２ｂへ、あるいは右遊技領域１２ｂから左遊技領域１２ａへ移動するが、勢いがない場合には、連通部３６を通過することなく傾斜面３７によって侵入した側の遊技領域１２に戻ることになる。この場合、傾斜面３７を流下する打玉の流れが比較的緩やかになるため、可動玉受部材３２ａ，３２ｂが開成しているときには、確実に打玉が可動玉受部材３２ａ，３２ｂ上に落下することになる。したがって、従来のように打玉が障害部材の側壁に衝突して、その反発力が大きすぎて下方に位置する可動玉受部材３２ａ，３２ｂを飛び越してしまい入賞玉とならないような現象を抑えることができ、遊技者に失望感を与えるようなことがなくなる。
　また、第１図の二点鎖線で示すように連通部３６を通過する打玉であっても、通過後には、大部分の打玉が下部障害部材３４ｂの山形の形状によってその勢いが弱められるので、侵入側と反対側の傾斜面３７から落下する打玉が可動玉受部材３２ａ，３２ｂで受け止められる可能性が高まる。これにより、左右の可動玉受部材３２ａ，３２ｂで受け止められる打玉数が均等化されることになり、従来の可変入賞球装置のように一方（通常左側だけ）の可動玉受部材だけで大部分の打玉が受け止められるものに比較して遊技の興趣を盛り上げることができる。なお、上記した障害部材３４のうち上部障害部材３４ａの前面には、上部装飾板３８が固着され、下部障害部材３４ｂの前面には、固定装飾板３９が固着されている。そして、前記した連通部３６は、上部装飾板３８と固定装飾板３９とによって中央部分を除く上下部分が隠され、連通部３６を通過する打玉を視認可能な状態となっている。また、固定装飾板３９は、ロボットの顔の意匠が付与されると共に上部入賞領域３３ａの上方部前面に到達する位置まで垂下され、可動玉受部材３２ａ，３２ｂが起立状態となったときは、ほぼ全体が固定装飾板３９に隠れた状態となる。
　ところで、可動玉受部材３２ａ，３２ｂで受け止められた打玉は、まず上部入賞領域３３ａに導かれて入賞玉となるが、その上部入賞領域３３ａには、入賞した入賞玉を一時貯留する貯留機構４０が内蔵されている。貯留機構４０は、上下動する摺動部材４１と、該摺動部材４１を摺動案内すると共にその底面と摺動部材４１に突設される貯留部材としての停止板４６ａ，４６ｂとの間で入賞玉を貯留する支持板４４と、摺動部材４１を上下に駆動する梃杆４２及び貯留ソレノイド４３（ソレノイドＣと表示する場合もある）とから構成されている。
　ここで、これらの構成部品について詳細に説明すると、前記摺動部材４１は、支持板４４の前面を上下方向に摺動するように板状に形成されていると共に、その下部両側から貯留部材としての停止板４６ａ，４６ｂが前方に向って突設されている。停止板４６ａ，４６ｂの前面には、ロボットの口の意匠が付与される可動装飾板４７が固着されている。また、板状部の中央には、前方に向って突出ピン４５が突設されている。また、前記支持板４４は、第３Ａ図に示すように、断面「Ｌ」字状に形成され、その底面が前方に向くようになっていると共に底面の中央に振分け突起４８が突設されている。
　しかして、摺動部材４１が上昇した位置にあるときには、第３Ａ図に示すように可動玉受部材３２ａ，３２ｂで受入れられた入賞玉Ｐ１は、その大部分が停止板４６ａ，４６ｂの上面から支持板４４の底面に落下し、さらに支持板４４の底面前方から下方に向けて落下する。一方、摺動部材４１が下降した位置にあるときには、第３Ｂ図に示すように可動玉受部材３２ａ，３２ｂで受入れられた入賞玉Ｐ２は、その大部分が停止板４６ａ，４６ｂの上面から支持板４４の底面に落下する。このとき、支持板４４の底面と停止板４６ａ，４６ｂの下端縁との間隔が入賞玉の直径よりも小さいため、その入賞玉Ｐ２は、支持板４４の底面前方から下方に落下することができず貯留された状態となる。
　しかして、支持板４４の底面と停止板４６ａ，４６ｂとで貯留される入賞玉の貯留状態は、第２Ｂ図に示されるように左右の停止板４６ａ，４６ｂに対応してそれぞれ最高２個づつであるが、この場合、停止板４６ａ，４６ｂの上面に乗って流下する入賞玉は、後方に向って飛翔して突出ピン４５に衝突し、これによって左右に振分けられて停止板４６ａ，４６ｂによって貯留される。そして、停止板４６ａ，４６ｂによって貯留される入賞玉が２個となった側に次に飛来する入賞玉が向ったときには、その入賞玉は、貯留入賞玉に衝突して停止板４６ａ，４６ｂの間に形成される中央落下口５４から下方に向けて落下するようになる。したがって、貯留機構４０に多数の打玉を貯留しようとする場合には、未だ貯留されていない方の可動玉受部材３２ａ，３２ｂからの打玉の入賞を多くさせるように遊技することにより最大限貯留機構４０に打玉を貯留させることができたり、あるいは、開閉サイクルの経過時間との関係で中央落下口５４から落下させる打玉をいずれの可動玉受部材３２ａ，３２ｂから入賞させた方が良いかどうか等の遊技戦略を立てることができ、遊技の興趣を盛り上げることができる。
　なお、摺動部材４１が下降した位置であっても、可動玉受部材３２ａ，３２ｂに誘導された入賞玉が停止板４６ａ，４６ｂの上に乗らずに停止板４６ａ，４６ｂを飛び越えた場合には、中央落下口５４から下方に向けて落下する場合もある。
　上記した摺動部材４１は、支持板４４を挟んで後面板４９と締結され、その後面板４９の下方に形成される係合溝５０に挺杆４２の先端に突設された係合ピン５２が遊嵌されている。挺杆４２は、長手方向の中心より後方部分を支軸５１によって回動自在に軸支され、その後端を貯留ソレノイド４３のプランジャ５３と連結されている。したがって、貯留ソレノイド４３が励磁されたときには、プランジャ５３が上昇して挺杆４２を反時計方向に回動させるので、摺動部材４１が下降し、貯留ソレノイド４３が非励磁状態のときには、プランジャ５３が下降して摺動部材を上昇させた位置に保持する。
　しかして、貯留ソレノイド４３の駆動は、この実施例の場合、大当り状態のときだけであり、具体的には、開閉サイクルが開始される前に相対的に短い時間間隔で複数回励磁、非励磁状態を繰り返し、開閉サイクルが開始すると同時に励磁されて貯留可能状態となり、開閉サイクルの所定期間の経過、例えば、可動玉受部材３２ａ，３２ｂの開閉動作が１５回行われたとき、又は後述する入賞玉検出器７６が４個の入賞玉を検出したときに非励磁状態となるように制御される。なお、開閉サイクルが開始される前に貯留ソレノイド５３が複数回励磁、非励磁状態を繰り返すことにより、遊技者に入賞玉の貯留箇所を報知すると共に、どのような態様となったときに入賞玉を貯留し、あるいは貯留しないかを報知する効果がある。すなわち、図示の実施例の場合、貯留ソレノイド５３が励磁・非励磁を繰り返すことにより、遊技者が最も見易い可変入賞球装置３０の前面において、ロボットの口の意匠が付与された可動装飾板４７が上下動することになり、前記固定装飾板３９のロボットの顔の意匠との関係で、ロボットが口を繰り返し開閉する様子によって貯留場所が遊技者に視認され、また、口を閉じた状態（第２Ａ図に示す状態）で貯留不可能な状態である旨が、口を開けた状態（第２Ｂ図に示す状態）で貯留可能な状態である旨がそれぞれ遊技者に理解されると共に、停止板４６ａ，４６ｂによる入賞玉の貯留状態についても遊技者にとって容易に予測できるものである。なお、貯留ソレノイド５３の作用については、後に詳述する。
　上記した貯留機構４０を通過した入賞玉は、支持板４４の底面から下方に向けて落下するが、その際、下部入賞領域３３ｂの前面開口側部に沿って側部障害部材５５ａ，５５ｂが取付基板３１に突設されているので、落下する入賞玉が可変入賞球装置３０の外に飛び出ることがない。なお、側部障害部材５５ａ，５５ｂには、第２Ａ図に示すように大当り状態となったときの開閉サイクルの繰り返し回数を表示する継続回数表示器７４と、１回の開閉サイクル中に可変入賞球装置３０に入賞した入賞玉数を表示する入賞個数表示器７５と、が設けられている。
　また、下部入賞領域３３ｂの前面開口底辺に沿って一対の可動片５６ａ，５６ｂが開閉可能に軸支されている。この可動片５６ａ，５６ｂは、リンク機構を介して可動片ソレノイド７３（ソレノイドＢと表示することもある）によって駆動されるようになっているが、該可動片ソレノイド７３が非励磁状態のときには、第１図の二点鎖線で示すように起立した状態となって下部入賞領域３３ｂと遊技領域１２とが連通し、可動片ソレノイド７３が励磁されたときには、ほぼ水平方向に回動して下部入賞領域３３ｂと遊技領域１２とを遮断する。つまり、可動片５６ａ，５６ｂの開閉駆動により貯留機構４０を通過して落下する入賞玉が入賞玉となったり、あるいは再度遊技領域１２に放出されたりする。この実施例の場合には、始動入賞時及び大当り時には、可動片ソレノイド７３が励磁された状態となって可動玉受部材３２ａ，３２ｂで受入れられた入賞玉をすべて入賞とするように駆動し、始動入賞又は大当りが終了して一定時間（例えば、２秒）が経過したときに非励磁状態となるように制御される。なお、始動入賞時に可動片ソレノイド７３の駆動を可動片５６ａ，５６ｂが開閉動作するように制御して、入賞玉となったり、ならなかったりすることにより、始動入賞口１３、１４ａ，１４ｂへの打玉の入賞率を高めたり、あるいは始動入賞時における可動玉受部材３２ａ，３２ｂへの入賞率を高めるような釘配列（一般的にゲージという）としてもよい。
　また、第３Ａ図に示すように、上記した複数のソレノイド４３、７２、７３のうち、特に本実施例で過酷な動作を要求される可動玉受部材ソレノイド７２が貯留ソレノイド４３よりも可変入賞球装置３０の後方に配置されている。これは、可動玉受部材ソレノイド７２が大当り状態となったときに励磁、非励磁状態を激しく繰り返すため、ソレノイド自体の発熱量が多くなり、この発熱を放熱し易い位置に配置する必要があるからである。これに対し、貯留ソレノイド４３は、大当り状態となっても、その励磁、非励磁状態の繰り返しが少なく発熱量も少なく可変入賞球装置３０の内側に位置させてもよいからである。
　可動片５６ａ，５６ｂが水平方向に開成したときに受け止められた入賞玉は、入賞領域３３の前面開口の下辺から後方に向って下り傾斜する玉転動板５７を流下する。玉転動板５７の下流端には、３つに区画される入賞開口が形成されている。しかして、３つに区画された入賞開口のうち中央が特定入賞口５８とされ、左右が通常の入賞口５９ａ，５９ｂとされる。特定入賞口５８には、特定入賞玉検出器６０が臨み、その特定入賞玉検出器６０がＯＮすることにより、前記したように大当り状態を検出したり、あるいは開閉サイクルの繰り返しを検出したりするものである。
　ところで、特定入賞口５８の上方には、誘導部材６１が配置される。この誘導部材６１は、玉転動板５７のほぼ真ん中を流下する入賞玉を特定入賞口５８に誘導するか通常入賞口５９ａ，５９ｂに誘導するかを振分けるものであり、円柱状の下端に玉が通過し得る通過穴６２が逆「Ｕ」字状に貫通形成されている。そして、誘導部材６１は、回転自在に設けられるものであり、その回転軸６３の上端が下部入賞領域３３ｂ内に横臥される水平支持板６４に回転自在に軸支されている。回転軸６３の中程には、従動ギヤ６５が固着され、該従動ギヤ６５がモータ６６のモータ軸６７に固着される駆動ギヤ６８と噛合するようになっている。このため、モータ６６が回転すると駆動ギヤ６８及び従動ギヤ６５を介して誘導部材６１が回転することになる。また、モータ軸６７の上端には、光の反射率の低い色調（例えば、黒色）の合成樹脂で形成された回転板６９が固着され、その回転板６９の外周の対称位置に切欠溝７０が形成されている。また、回転板６９を挟むように投受光方式の停止位置検出器７１が設けられており、この停止位置検出器７１と前記切欠溝７０とでモータ６６の回転を制御するために使用される。具体的には、常には、モータ６６が駆動されて誘導部材６１が回転しており、このため、誘導部材６１の通過穴６２が前方を向いた状態と、側方に向いた状態とが交互に出現することになり、特定入賞口５８に向って玉転動板５７上を流下する入賞玉が誘導され易い状態と誘導され難い状態とに変化するようになっている。そして、誘導部材６１が回転している状態で前記停止入賞玉検出器１８ａ，１８ｂがＯＮすると、そのＯＮした直後の停止位置検出器７１のＯＮ（切欠溝７０を検出）に基づいてモータ６６の回転を停止し、誘導部材６１の回転も停止させる。このとき、誘導部材６１の通過穴６２が前方に向いた状態で停止するので玉転動板５７のほぼ真ん中を流下する入賞玉は、特定入賞口５８に誘導され易い状態となっている。このような状態で始動入賞玉検出器１５、１６ａ，１６ｂがＯＮして開閉処理が行われ、その始動開閉処理が終了すると、再度モータ６６の回転が開始されて誘導部材６１も回転し始めて再度誘導され難い状態となる。なお、大当り状態以外の状態では、停止入賞玉検出器１８ａ，１８ｂがＯＮしなければ、モータ６６の回転が停止することはない。
　始動開閉処理後、大当り状態となった場合には、開閉サイクルの初期においてモータ６６は、回転し続けているが、開閉サイクルの後半、例えば、可動玉受部材３２ａ，３２ｂの開閉動作が１５回行われた後、又は後述する入賞玉検出器７６が４個の入賞玉を検出した後の最初の停止位置検出器７１のＯＮに基づいて回転を停止し、誘導部材６１の通過穴６２が正面を向いた状態で停止する。このため、前記した貯留機構４０との関係で開閉サイクルの後半においては、開閉サイクルの継続の可能性が高められるようになっている。
　なお、開閉サイクル中に通常入賞口５９ａ，５９ｂ及び特定入賞口５８に入賞した入賞玉は、遊技盤１０の裏面に取り付けられた誘導路７７（第１図参照）を通って入賞玉検出器７６によって検出され、その検出信号数が前記入賞個数表示器７５に表示されるようになっている。
　以上、実施例に係る可変入賞球装置３０を含むパチンコ遊技機１の構成について説明してきたが、このパチンコ遊技機１は、第４図に示す制御回路によって駆動制御される。ここで、この制御回路について簡単に説明すると、制御回路は制御中枢としてのマイクロコンピュータ８０を含む。マイクロコンピュータ８０は、たとえば、数チップのＬＳＩで構成されており、その中には制御動作を所定の手順で実行することのできるＭＰＵ８１と、ＭＰＵ８１の動作プログラムデータを格納するＲＯＭ８２と、必要なデータの書込みおよび読出しができるＲＡＭ８３とを含む。更に、マイクロコンピュータ８０は、入力信号を受けてＭＰＵ８１に入力データを与える入力回路８４と、ＭＰＵ８１からの出力データを受けて外部に出力する出力回路８５とを含んでいる。そしてＭＰＵ８１はＲＯＭ８２内に格納されたプログラムデータに従って、且つ以下に述べる各制御信号の入力に応答して、可変入賞球装置３０等に対して制御信号を与える。
　マイクロコンピュータ８０には、入力信号として、次のような信号が与えられる。まず、始動入賞口１３、１４ａ，１４ｂのそれぞれに対応して設けられた始動入賞玉検出器１５、１６ａ，１６ｂの検出信号は、検出回路８６に与えられ、マイクロコンピュータ８０に始動入賞玉検出信号として与えられる。特定入賞玉検出器６０又は入賞玉検出器７６で検出された検出信号は、検出回路８７に与えられ、大当り信号又は繰り返し信号として、及び入賞玉計数信号としてマイクロコンピュータ８０に与えられる。更に、停止入賞玉検出器１８ａ，１８ｂで検出された検出信号、及び停止位置検出器７１で検出された検出信号は、それぞれ検出回路８８、８９に与えられ、それぞれモータ６６の駆動制御信号としてマイクロコンピュータ８０に与えられる。
　また、マイクロコンピュータ８０は以下の回路及び装置に制御信号を与える。まず、駆動回路９０を介して可変入賞球装置３０に設けられるソレノイドＡ〜Ｃを駆動する駆動信号を与える。また、駆動回路９１を介して誘導部材６１を回転するモータ６６を駆動する駆動信号を与える。制御回路９２を介して継続回数表示器７４、及び入賞個数表示器７５を点灯させるための制御信号を与える。制御回路９３を介して大当り状態に対応して設けられる遊技効果ランプ２１ａ，２１ｂ、２２ａ〜２２ｃ、２３ａ，２３ｂをそれぞれ点灯もしくは点滅させるための制御信号を与える。駆動回路９４を介して、効果音を発生するスピーカ７に駆動信号を与える。なお、上記構成の各回路には、図示しない電源回路から所定の直流電圧が供給される。
　次に上記した制御回路によって制御される動作のうち、貯留機構４０の貯留ソレノイドＣの動作について第５図のタイムチャートを参照して説明する。まず、打玉が始動入賞口１３、１４ａ，１４ｂのいずれかに入賞して対応する始動入賞玉検出器１５、１６ａ，１６ｂのいずれかをＯＮせさせる。その始動信号Ｓ１に基づいて即座に貯留ソレノイドＣが微小時間Ｔ１（例えば、０．３秒）だけ励磁される。また、始動信号Ｓ１に基づいてソレノイドＡの励磁されるが、これは、ソレノイドＣの励磁が終了してから行われるので、ソレノイドＡの励磁に基づいて開放する可動玉受部材３２ａ，３２ｂによって受入れられた入賞玉が貯留機構４０によって貯留されるわけではない。
　一方、ソレノイドＡの励磁に基づいて開放する可動玉受部材３２ａ，３２ｂによって受入れられた入賞玉が特定入賞口５８に誘導されて特定入賞玉検出器６０をＯＮさせたときには、大当り状態となる。しかして、大当り信号Ｖ１の導出直後からソレノイドＣが複数回（図示のタイムチャートでは、９回）ＯＮ・ＯＦＦを繰り返す。このときのＯＮ・ＯＦＦ時間は、例えば、０．１秒間隔でＯＮ・ＯＦＦを繰り返すようにすればよい。上記のようにソレノイドＣがＯＮ・ＯＦＦを繰り返すことにより、可動装飾板４７が上下動を繰り返すので、固定装飾板３９のロボットの顔の意匠との関係で、ロボットが口を繰り返し開閉する様子によって貯留場所が遊技者に視認され、また、口を閉じた状態で貯留不可能な状態である旨が、口を開けた状態で貯留可能な状態である旨がそれぞれ遊技者に理解される。そして、ソレノイドＣのＯＮ・ＯＦＦは、大当り信号Ｖ１導出後、ソレノイドＡの１８回のＯＮ・ＯＦＦ開始までの時間Ｔ２行われる。このＴ２時間は、いわゆるインターバル時間であって大当り遊技を開始する旨を遊技者に余裕をもって報知するために設定される。このため、Ｔ２時間においては、始動入賞時や大当りによる開閉サイクル時とは異なる態様で遊技効果ランプ２１ａ，２１ｂ、２２ａ〜２２ｃ、２３ａ，２３ｂが表示制御され、また、ソレノイドＣがＯＮ・ＯＦＦを行っている間、始動入賞時や大当りによる開閉サイクル時とは異なる効果音をスピーカ７から報知している。また、ソレノイドＣは、ソレノイドＡの１回目のＯＮと同時に継続的にＯＮ状態となって入賞玉を貯留可能な状態となるが、ソレノイドＡの１５回目のＯＮ状態が終了すると同時（又は入賞玉数が４個となったとき；タイムチャートには、図示しない）にＯＦＦ状態となり、貯留されていた入賞玉を開放する。なお、第５図のタイムチャートには、図示しないが、開閉サイクルが継続する場合には、開閉サイクルと開閉サイクルとの間のインターバル時間毎に、ソレノイドＣの上記した微小時間のＯＮ・ＯＦＦ動作が行われる。また、最後の開閉サイクルが終了した後にもソレノイドＣのＯＮ・ＯＦＦ動作を行わせるようにしてもよい。
　上記したように、この実施例においては、貯留機構４０を構成する貯留部材としての停止板４６ａ，４６ｂが貯留可能状態となる前に、複数回上下動するので、可変入賞球装置３０における入賞玉の貯留場所が容易に理解される。また、貯留部材としての停止板４６ａ，４６ｂの上下動が貯留可能な状態と貯留不可能な状態とに変化するので、貯留機構４０の態様と貯留可能性との関係、及び貯留機構４０による入賞玉の貯留状態が容易に予測できる。
　なお、上記した実施例（以下、第１実施例という）においては、貯留部材としての停止板４６ａ，４６ｂが上下動するものを示したが、これ以外の動作をする貯留部材であってもよい。例えば、第７図及び第８図に示す可変入賞球装置１００（以下、第２実施例という）に内蔵される貯留部材１０７ａ，１０７ｂのように水平方向に開閉動作するものでもよい。ここで、第７図及び第８図に示す可変入賞球装置１００について簡単に説明すると、可変入賞球装置１００は、第１実施例と同様に取付基板の中央に長方形状の入賞領域１０１を有し、その入賞領域１０１に打玉を受入れる一対の可動玉受部材１０２ａ，１０２ｂが設けられている。可動玉受部材１０２ａ，１０２ｂに受入れられた入賞玉は、入賞領域１０１を上下に分割する上部玉転動板１０３に誘導されて後方に流下し、上部玉転動板１０３のほぼ中央に設けられた入賞玉検出器１０４を通過して下部玉転動板１０５上に落下する。下部玉転動板１０５は、後方から前方に向って傾斜して設けられ、その前方端には、中央の特定入賞口１０９と左右の通常入賞口１１０ａ，１１０ｂとが形成されている。特定入賞口１０９には、第１実施例と同様に特定入賞玉検出器１１１が設けられている。
　ところで、下部玉転動板１０５の上方には、図示しないソレノイドによって水平方向に開閉移動する一対の貯留部材１０７ａ，１０７ｂが配置されている。この貯留部材１０７ａ，１０７ｂは、下部玉転動板１０５上を流下する入賞玉を第７図に示すように貯留しない状態と第８図に示すように貯留する状態とに変化するものである。なお、貯留部材１０７ａ，１０７ｂには、怪獣の手の意匠が付与されており、上部玉転動板１０３と下部玉転動板１０５との間で入賞玉を貯留する様子が遊技者に視認できるようになっている。また、入賞玉検出器１０４の下方には、入賞玉検出器１０４を通過した入賞玉の流路を変化させるため左右に往復移動する振分け部材１０６が設けられている。この振分け部材１０６は、貯留部材１０７ａ，１０７ｂが貯留不可能状態のときに、左右に移動し、貯留可能状態のときには、中央に向いた状態で停止する。また、下部玉転動板１０５の流下端であって前記特定入賞口１０９の直前には、下部玉転動板１０５を流下する入賞玉の流路を変更する障害突起１０８が設けられている。このため、特定入賞口１０９に入賞するためには、下部玉転動板１０５を入賞玉が勢いよく流下して障害突起１０８上を乗り越える必要がある。つまり、大当り状態時においては、貯留部材１０７ａ，１０７ｂによって貯留される入賞玉の数が多くなればなるほど、下部玉転動板１０５を流下する入賞玉の勢いがまして特定入賞口１０９へ誘導され易くなっている。
　以上、第２実施例に係る可変入賞球装置１００の構成について説明したが、この可変入賞球装置１００においても、入賞玉を貯留可能な状態と貯留不可能な状態とに変化可能な貯留部材１０７ａ，１０７が可変入賞球装置１００の入賞領域１０１の前方部分で遊技者に視認できる位置に配置されているので、貯留部材１０７ａ，１０７ｂが貯留可能状態となる前に、複数回開閉動作させることによって、可変入賞球装置１００における入賞玉の貯留場所が容易に理解される。また、貯留部材１０７ａ，１０７ｂの開閉動作が貯留可能な状態と貯留不可能な状態とに変化するので、貯留部材１０７ａ，１０７ｂの態様と貯留可能性との関係、及び貯留部材１０７ａ，１０７ｂによる入賞玉の貯留状態が容易に予測できる。
　以上、２つの実施例について説明してきたが、いずれの実施例においても可変入賞球装置３０、１００として一対の可動玉受部材３２ａ，３２ｂ１０７ａ，１０７ｂを有するものを例示したが、可動玉受部材の構造として開閉するものではなく、横方向に摺動する一対の摺動部材や前後方向に開閉する開閉板であってもよく、また、可動玉受部材が閉成している状態においても入賞領域３３１０１へ打玉が入賞可能なものであってもよい。また、貯留開始前に駆動される貯留部材の駆動回数も上記実施例のように比較的多く駆動させてもよいが、遊技者に報知することができれば、１回だけでもよい。また、弾球遊技機として、借り受けた打玉を投入して遊技する形式のパチンコ遊技機１を例示したが、持ち玉情報が記録されたカードを使用して遊技する、所謂カード式弾球遊技機であってもよい。なお、上記実施例と同様な効果である貯留場所を報知する構成として、貯留部材を複数回駆動させることに加えて、あるいは代えて貯留場所を表示する表示器を設けてもよい。
　　【発明の効果】
　以上、説明したところがら明らかなように、この発明に係る弾球遊技機においては、貯留部材に
所定期間に亘って継続的に
【図面の簡単な説明】
　第１図は、実施例に係る可変入賞球装置と始動入賞口とを含む遊技領域の部分正面図、第２Ａ図は、可変入賞球装置の正面図、第２Ｂ図は、貯留機構による貯留状態を示す可変入賞球装置の部分正面図、第３Ａ図は、可変入賞球装置を遊技盤に装着した状態での縦断面図、第３Ｂ図は、可変入賞球装置に含まれる貯留機構の作用を示す部分断面図、第４図は、可変入賞球装置を含むパチンコ遊技機の遊技動作を制御する制御回路のブロック図、第５図は、制御回路によって制御される動作のうち可変入賞球装置に含まれる貯留機構の動作を示すタイムチャート、第６図は、実施例に係る弾球遊技機の一例としてのパチンコ遊技機の正面図、第７図は、異なる貯留機構を内蔵する可変入賞球装置の一部破断斜視図、第８図は、その可変入賞球装置の貯留機構が貯留可能となったときの部分斜視図である。
　１・・パチンコ遊技機（弾球遊技機）
　１０・・遊技盤
　１３、１４ａ，１４ｂ・・始動入賞口（予め定めた入賞口）
　３０、１００・・可変入賞球装置
　５５、１０９・・特定入賞口
　４６ａ，４６ｂ・・停止板（貯留部材）
　１０７ａ，１０７ｂ・・貯留部材